【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
セグメント化スキャフォールドを展開するシステムであって：
外側のチューブ状部材と；
前記外側のチューブ状部材の内部に配置された内側の延伸部材と；
少なくとも前記内側の延伸部材の上に配置された送達バルーンとを備え；
前記バルーンの近位端は前記外側のチューブ状部材に取り付けられ、前記バルーンの遠位端は前記内側の延伸部材の遠位端に取り付けられ、
前記内側の延伸部材は前記外側のチューブ状部材の内部で軸方向に滑動可能であり、
前記バルーンが少なくとも部分的に膨張すると、前記外側のチューブ状部材の内部で前記内側の延伸部材は近位に滑動して、前記バルーンを短くし、前記バルーンは縮小した直径を有する挟圧領域を備える；
送達システム。
【請求項２】
前記バルーン上に配設され、両端部間に配置される２つの非連結スキャフォールドセグメントをさらに備える；
請求項１の送達システム。
【請求項３】
前記セグメントは、前記バルーンにクリンプされ、
前記バルーンの少なくとも部分的膨張は、前記セグメント間の前記間隙の幅を増加させ、
前記内側の延伸部材の前記滑動は、前記バルーン上に軸方向に向いた力を生じさせ、前記間隙の前記幅を減少させる、
請求項２に記載のシステム。
【請求項４】
前記バルーンが少なくとも部分的に膨張すると、前記バルーンは前記セグメント間で縮小した直径を有する挟圧領域を備える、
請求項２に記載のシステム。
【請求項５】
前記滑動は、前記挟圧領域で前記バルーン自体が折り畳まれて、前記バルーンを短くし、前記バルーン上に配置されたスキャフォールドセグメント間の間隙の幅を減少させる力を生じさせる、
請求項２に記載のシステム。
【手続補正２】
【補正対象書類名】明細書
【補正対象項目名】０１９２
【補正方法】変更
【補正の内容】
【０１９２】
本発明の特定の実施の形態を示し、説明してきたが、当業者には言うまでもなく、本発明から逸脱することなくより広い態様で変更および改変が可能である。従って、このような全ての変更および改変が本発明の真の精神および範囲内に入るように、特許請求の範囲内に含められるべきである。
［第１の局面］
セグメント化スキャフォールドを送達する方法であって：
両端部間に配置され、間隙により離間される複数の非連結スキャフォールドセグメントを備える送達バルーンを提供するステップであって、前記セグメントは前記バルーンにクリンプされている、ステップと； 
前記バルーンを膨張させて前記セグメントを径方向に拡張するステップであって、前記間隙の相対的な大きさは前記セグメントの完全な膨張および拡張の間ならびにその後も一定である、ステップを備える；
送達方法。
［第２の局面］
前記間隙の大きさは前記セグメントの完全な膨張および拡張の間ならびにその後も等しい、
第１の局面の送達方法。
［第３の局面］
前記間隙はそれぞれ、隆起した、バルーン材のバンドを備える、
第１の局面の送達方法。
［第４の局面］
前記バンドは前記セグメントの完全な膨張および拡張の間ならびにその後も前記間隙の相対的な大きさを一定に維持する、
第３の局面の送達方法。
［第５の局面］
前記バンドの幅は同一であり、
前記バンドは前記セグメントの完全な膨張および拡張の間ならびにその後も前記間隙の大きさが等しくなるように維持する、
第３の局面の送達方法。
［第６の局面］
前記間隙の間の前記バルーンの表面は抗増殖性の治療薬を含む被膜を備える、
第１の局面の送達方法。
［第７の局面］
完全な膨張の間およびその後の前記間隙の大きさの増減は前記間隙毎に同一である、
第１の局面の送達方法。
［第８の局面］
前記間隙毎の完全な膨張の間およびその後の前記間隙の大きさは変化しない、
第１の局面の送達方法。
［第９の局面］
前記クリンプしたセグメントの各間隙の大きさはゼロまたはゼロに近い、
第１の局面の送達方法。
［第１０の局面］
セグメント化スキャフォールドを送達する方法であって：
送達バルーンを提供するステップであって、少なくとも２つの非連結スキャフォールドセグメントが前記バルーン上に配置されて、間隙により離間され、前記各間隙は隆起した、バルーン材のバンドを有する、ステップと； 
前記バルーンを膨張させて前記セグメントを径方向に拡張させるステップであって、前記セグメント間の前記間隙は、前記バルーンの完全な膨張および前記セグメントの拡張の間ならびにその後も、およそ前記バンド材の幅になるように維持される、ステップを備える；
送達方法。
［第１１の局面］
隣接するセグメントの両端部が前記バンドの端部に突き当たって前記間隙をほぼ前記バンドの幅となるように維持する、
第１０の局面の送達方法。
［第１２の局面］
セグメント化スキャフォールドの送達システムであって：
隆起した、バルーン材でできたプレ成形ピロー付バンドを備える送達バルーンと；
前記バンドにより分離された、前記バルーン上にクリンプされた２つの非連結スキャフォールドセグメントとを備える；
送達システム。
［第１３の局面］
前記バルーン上にクリンプされ、前記バルーンに沿って離間し、１つ以上の付加的なバンドにより分離されている１つ以上の追加のセグメントをさらに備える；
第１２の局面の送達システム。
［第１４の局面］
前記プレ成形ピロー付バンドの表面に抗増殖性の治療薬を含む被膜を備える；
第１２の局面の送達システム。
［第１５の局面］
セグメント化スキャフォールドを送達する方法であって：
隣接するセグメントが、ある間隙だけ離間するように、両端部間に配置された複数の非連結スキャフォールドセグメントを有する送達バルーンを提供するステップであって、前記セグメントは前記バルーンにクリンプされている、ステップと；
前記バルーンを膨張させて前記セグメントを径方向に拡張するステップであって、前記バルーンは膨張させると短くなり、前記バルーンが短くなることで、前記セグメントが拡張したとき前記セグメントが短くなることで生ずる隣接セグメント間の前記間隙の増大を軽減する、ステップを備える；
送達方法。
［第１６の局面］
剛性のバンドが隣接する前記セグメント間の前記間隙内で前記バルーンの周囲に巻き付けられ、
前記剛性のバンドは前記バルーンが膨張したとき前記バルーンを短くする、前記間隙における前記バルーンの拡張を抑制する、
第１５の局面の送達方法。
［第１７の局面］
セグメント化スキャフォールド用の送達システムであって：
２つの層を含む壁を有する送達バルーンであって、前記複数の層は拡張したとき前記バルーンを短くする異なるデュロメータ硬度を有する送達バルーンと；
前記バルーン上にクリンプされた２つの非連結スキャフォールドセグメントを備える；
送達システム。
［第１８の局面］
セグメント化スキャフォールド用の送達システムであって：
送達バルーンと；
前記バルーンの軸方向部分の周囲に巻き付けられたバンドと；
前記バルーン上にクリンプされた２つの非連結スキャフォールドセグメントを備え；
剛性の前記バンドは前記２つの非連結スキャフォールドセグメントの間隙内にあり、
前記剛性のバンドは前記バルーンが膨張したとき、前記バルーンを短くする前記スキャフォールド部間の前記バルーンの拡張を抑制する、
送達システム。
［第１９の局面］
前記バンドは前記軸方向部分で前記バルーンの直径を減少させる、
第１８の局面の送達システム。
［第２０の局面］
セグメント化スキャフォールドを送達する方法であって：
セグメント化スキャフォールドの、埋め込まれる非連結スキャフォールドセグメントの間隙の大きさを選択するステップと；
第１の埋込部位に第１のスキャフォールドセグメントを配置するステップであって、前記第１のセグメントは縮小されたクリンプ直径となっている、ステップと；
前記第１の埋込部位で、前記第１のセグメントを、拡張された直径で展開するステップと；
前記展開した第１のスキャフォールドセグメントに対して近位の第２の埋込部位に第２のスキャフォールドセグメントを配置するステップであって、前記第２のセグメントは縮小されたクリンプ直径となっている、ステップと；
前記第２のセグメントを拡張された直径で展開するステップであって、前記展開された第１のスキャフォールドセグメントと展開された第２のセグメントとの間の間隙は前記選択された大きさの間隙である、ステップを備える；
送達方法。
［第２１の局面］
前記第２のセグメントは前記第１のセグメントの展開中に前記第２のセグメントの展開を妨げるシース内に配置される、
第２０の局面の送達方法。
［第２２の局面］
前記第１のセグメントは送達バルーンにより展開され、前記第１のセグメントの展開後に、前記第２のセグメントの展開のために前記バルーンを前記第２のセグメント内に配置する、
第２０の局面の送達方法。
［第２３の局面］
セグメント化スキャフォールドを展開するシステムであって：
内腔と、開口部を有する遠位端とを備えるシースと；
前記内腔内に配設される送達バルーンと；
両端部間に配置される第１のスキャフォールドセグメントおよび第２のスキャフォールドセグメントとを備え；
前記第１のセグメントは前記第２のセグメントに対して遠位にあって前記バルーン上にクリンプされ、
前記バルーンおよび前記セグメント群は前記内腔の円筒軸に沿って移動可能である、
送達システム。
［第２４の局面］
前記第１のセグメントおよび前記バルーンは前記第２のセグメントに対して軸方向に滑動可能である、
第２３の局面の送達システム。
［第２５の局面］
前記第２のセグメントは前記バルーン上にクリンプされる、
第２３の局面の送達システム。
［第２６の局面］
前記バルーンは別々に膨張させることができる別々のバルーンチャンバを備え、
前記各セグメントは前記別々のバルーンチャンバ上でクリンプされる、
第２５の局面の送達システム。
［第２７の局面］
前記第２のセグメントは前記第１のスキャフォールドセグメントが上にクリンプされる前記バルーンの端部に取り付けられた別のバルーン上にクリンプされ、
前記両バルーンは別々に膨張するよう構成される、
第２３の局面の送達システム。
［第２８の局面］
セグメント化スキャフォールドを送達する方法であって：
セグメント化スキャフォールドの、埋め込まれる非連結スキャフォールドセグメントの間隙の大きさを選択するステップと；
シースを埋込部位の近位に配置するステップであって、バルーン上にクリンプされた第１のスキャフォールドセグメントおよび第２のスキャフォールドセグメントが、前記シース内に配置され、前記第１のセグメントは前記第２のセグメントの遠位にある、ステップと；
前記シースから前記第１のセグメントを出して前進させるステップと；
第１の埋込部位で前記第１のセグメントを展開するステップと；
前記第１のセグメントの展開後、前記シースから前記第２のセグメントを出して配置するステップと；
前記第２のセグメントを前記第２の埋込部位で展開するステップを備え；
前記展開した第１のセグメントと前記展開した第２のセグメントとの間隙が、前記選択した大きさの間隙である、
送達方法。
［第２９の局面］
前記第２のセグメントを前記第１のセグメントの展開中に前記シース内に配置し、それにより前記第１のセグメントの展開中に前記第２のセグメントが拡張するのを妨げる、
第２８の局面の送達方法。
［第３０の局面］
前記第１のセグメントが前記シースより遠位の前記バルーンの膨張および拡張により展開される、
第２８の局面の送達方法。
［第３１の局面］
前記バルーンが前記第１のセグメントの展開後に収縮される、
第３０の局面の送達方法。
［第３２の局面］
セグメント化スキャフォールドを送達する方法であって：
セグメント化スキャフォールドの、埋め込まれるスキャフォールドセグメントの間隙の大きさを選択するステップと；
埋込部位より遠位にシースを配置するステップであって、少なくとも第２のスキャフォールドセグメントが前記シース内に配置されており、第１のスキャフォールドセグメントが前記第２のセグメントより遠位にあり、前記第１のスキャフォールドセグメントがバルーン上にクリンプされている、ステップと；
前記第１のセグメントを第１の埋込部位で展開するステップと；
前記バルーンを前記第の２セグメント内に配置するステップと；
前記バルーン上に前記第２のセグメントを固定するステップと；
前記シースから前記第２のセグメントを出して、前記展開した第１のセグメントより近位の第２の埋込部位まで前進させるステップと；
前記第２のセグメントを前記第２の埋込部位で展開するステップであって、前記展開した第１のセグメントと前記展開した第２のセグメントの間隙が前記選択された大きさの間隙である、ステップを備える；
送達方法。
［第３３の局面］
セグメント化スキャフォールドを送達する方法であって：
シースを埋込部位の近位に配置するステップであって、バルーン上にクリンプされる３つ以上のスキャフォールドセグメントが前記シース内に配置されている、ステップと；
前記セグメントの内の少なくとも２つのセットを前記シースから出して前進させるステップであって、少なくとも１つのセグメントは前記シース内に留まる、ステップと；
１セットの埋込部位で前記セグメントのセットを展開させるステップと；
前記セグメントのセットを展開後、前記シースの外側で前記シース内に留まる追加のセグメントを配置するステップと；
前記追加のセグメントを第２の埋込部位に展開するステップであって、展開されたセグメントのうち最も近位の前記セットと前記展開される追加のセグメントとの間隙を選択された大きさの間隙にする、ステップを備える；
送達方法。
［第３４の局面］
セグメント化スキャフォールドを送達する方法であって：
送達バルーンを提供するステップであって、２つの非連結スキャフォールドセグメントが前記バルーン上に配置され、間隙により離間している、ステップと；
前記バルーンを膨張させて前記セグメントを径方向に拡張させるステップであって、前記セグメント間の前記間隙の幅が前記バルーンの完全な膨張および前記セグメントの拡張の間ならびにその後も一定である、ステップを備える；
送達方法。
［第３５の局面］
前記間隙内の隆起した、バルーン材のバンドが前記セグメント間の前記間隙の一定の幅を維持する、
第３４の局面の送達方法。
［第３６の局面］
セグメント化スキャフォールドを送達する方法であって：
送達バルーンを提供するステップであって、両端部間に配置され、間隙により離間された２つの非連結スキャフォールドセグメントが前記バルーン上に配置され、前記セグメントが前記バルーンにクリンプされている、ステップと；
前記バルーンを膨張させて前記セグメントを拡張するステップであって、前記セグメントの拡張が前記セグメント間の前記間隙の幅を増加させる、ステップと；
前記バルーンに軸方向に向いた力を加えて前記バルーンを短くし、前記間隙の幅を減少させるステップを備える；
送達方法。
［第３７の局面］
前記膨張したバルーンが、前記セグメント間の縮径された挟圧領域を含む、
第４２の局面の送達方法。
［第３８の局面］
前記力により前記バルーンが前記挟圧領域でバルーン自体に折り畳まれて、前記バルーンが短くなり、前記間隙の幅が減少する、
第４３の局面の送達方法。
［第３９の局面］
セグメント化スキャフォールドを展開するシステムであって：
外側のチューブ状部材と；
前記外側のチューブ状部材の内部に配置された内側の延伸部材と；
少なくとも前記内側の延伸部材の上に配置された送達バルーンとを備え；
前記バルーンの近位端は前記外側のチューブ状部材に取り付けられ、前記バルーンの遠位端は前記内側の延伸部材の遠位端に取り付けられ、
前記内側の延伸部材は前記外側のチューブ状部材の内部で軸方向に滑動可能であり、
前記バルーンが少なくとも部分的に膨張すると、前記内側の延伸部材は近位に滑動し、前記バルーンを短くする、
送達システム。
［第４０の局面］
前記バルーンが少なくとも部分的に膨張すると、前記バルーンは縮小した直径を有する挟圧領域を備える；
第３９の局面の送達システム。
［第４１の局面］
前記バルーン上に配設され、両端部間に配置される２つの非連結スキャフォールドセグメントをさらに備える；
第３９の局面の送達システム。
［第４２の局面］
セグメント化スキャフォールドを展開するためのシステムであって：
送達バルーンと；
前記バルーン上にクリンプされ、両端部間に配置される第１のスキャフォールドセグメントおよび第２のスキャフォールドセグメントと；
前記セグメント間の間隙内で前記バルーンに取り付けられる少なくとも１つのスペーサ部材とを備え；
前記少なくとも１つのスペーサ部材は、前記バルーンが膨張して前記セグメントを拡張させるとき、前記セグメント間の一定の間隙の大きさを維持する方法で、前記各セグメントと関係付けられている、
送達システム。
［第４３の局面］
前記関係付けは、前記スペーサークリップの部分を前記各セグメントの表面と係合させることを含む、
第４２の局面の送達システム。
［第４４の局面］
セグメント化スキャフォールドを展開する方法であって：
送達バルーン、および両端部間に配置され前記バルーン上にクリンプされた第１のスキャフォールドセグメントおよび第２のスキャフォールドセグメントに関し；
前記バルーンを膨張させて前記第１および第２のセグメントを拡張するステップを備え；
前記バルーンに取り付けられ、前記セグメントと関係付けられる少なくとも１つのスペーサ部材が、前記バルーンが膨張し、前記セグメントを拡張するとき、前記セグメント間の一定の大きさの間隙を維持する、
送達方法。
［第４５の局面］
前記バルーンを収縮させるステップをさらに備え；
前記スペーサ部材は、前記バルーンが収縮したとき、前記拡張されたスキャフォールドとは無関係になる、
第４４の局面の送達方法。
［第４６の局面］
前記関係付けは、前記スペーサークリップの部分を前記各セグメントの表面と係合させるステップを含む、
第４４の局面の送達方法。
［第４７の局面］
セグメント化スキャフォールドを送達する方法であって：
両端部間に配置され、患者の血管内の治療部位で間隙により離間される複数の非連結スキャフォールドセグメントを有する送達バルーンを配置するステップであって、前記セグメントは前記バルーンにクリンプされ、前記間隙間の前記バルーンの表面は、治療薬を含む被膜を含む、ステップと；
前記埋込部位で前記セグメントを径方向に拡張し、埋め込むために前記バルーンを膨張させるステップを備え；
前記治療薬は前記間隙における、またはその近位における前記埋込部位の再狭窄を低下させる、
送達方法。
［第４８の局面］
セグメント化スキャフォールドを送達するシステムであって：
送達バルーンと；
両端部間に配置され、間隙により離間された、前記バルーン上にクリンプされた複数の非連結スキャフォールドセグメントとを備え；
前記間隙間の前記バルーンの表面は抗増殖性の治療薬を含む被膜を備える、
送達システム。